(57)【要約】  本発明は、食品加工産業の製品（１２）の製品固有データを取得および分析するように設計および構成された装置（１０）に関するものであり、その装置は、個別の製品（１２）を搬送方向Ｔに受入端から送出端まで搬送するための、搬送面に隙間がないコンベア（１１）と、製品固有データを取得するための、少なくとも１つのＸ線源（１４）および少なくとも１つのＸ線カメラ（１５）を含むＸ線ユニット（１３）であって、Ｘ線源（１４）とＸ線カメラ（１５）との間に沿って製品（１２）を誘導可能であるように、Ｘ線源（１４）とＸ線カメラ（１５）はコンベア（１１）に割り付けられている、Ｘ線ユニット（１３）と、Ｘ線ユニット（１３）に接続された制御ユニット（１６）であって、Ｘ線ユニット（１３）で取得された第１のデータセットをなす製品固有データを受信および分析するように設計および構成された制御ユニットと、を有し、この装置において、その受入端と送出端との間の同じコンベア（１１）に対して、少なくとも１つの光学カメラ（１７）が割り付けられており、Ｘ線ユニット（１３）に加えて、この少なくとも１つの光学カメラ（１７）により、コンベア（１１）上を搬送される製品（１２）の製品固有データを取得することができ、この光学カメラ（１７）は、光学カメラ（１７）で取得された第２のデータセットをなす製品固有データを受信および分析するように設計および構成された制御ユニット（１８）に接続されている、ことを特徴とする。本発明は、さらに、かかる装置（１０）を備えたシステム（２９）、ならびに食品加工産業の製品（１２）を処理する方法に関する。【選択図】図３
2019526061.tif 000002
【特許請求の範囲】
【請求項１】
食品加工産業の製品（１２）の製品固有データを取得および分析するように設計および構成された装置（１０）であって、個別の製品（１２）を搬送方向Ｔに受入端から送出端まで搬送するための、搬送面に隙間がないコンベア（１１）と、製品固有データを取得するための、少なくとも１つのＸ線源（１４）および少なくとも１つのＸ線カメラ（１５）または少なくとも１つのＸ線検出器を含むＸ線ユニット（１３）であって、前記Ｘ線源（１４）と前記Ｘ線カメラ（１５）との間に沿って前記製品（１２）を誘導可能であるように、前記Ｘ線源（１４）と前記Ｘ線カメラ（１５）は前記コンベア（１１）に割り付けられている、Ｘ線ユニット（１３）と、前記Ｘ線ユニット（１３）に接続された制御ユニット（１６，１９）であって、前記Ｘ線ユニット（１３）で取得された第１のデータセットをなす前記製品固有データを受信および分析するように設計および構成された制御ユニット（１６，１９）と、を有する、装置において、
前記受入端と前記送出端との間の同じ前記コンベア（１１）に対して、少なくとも１つの光学カメラ（１７，２０）が割り付けられており、前記Ｘ線ユニット（１３）に加えて、前記少なくとも１つの光学カメラ（１７，２０）により、前記コンベア（１１）上を搬送される前記製品（１２）の製品固有データを取得可能であり、前記光学カメラ（１７）は、前記光学カメラ（１７，２０）で取得された第２のデータセットをなす前記製品固有データを受信および分析するように設計および構成された制御ユニット（１８、１９）に接続されている、ことを特徴とする装置（１０）。
【請求項２】
前記コンベア（１１）の上方に、少なくとも１つの光学カメラ（１７，２０）が配置されていることを特徴とする、請求項１に記載の装置（１０）。
【請求項３】
異なる撮像法を備える少なくとも２つの光学カメラ（１７，２０）を、前記コンベア（１１）に割り付けていることを特徴とする、請求項１または２に記載の装置（１０）。
【請求項４】
少なくとも１つの光学カメラ（１７，２０）は、マルチスペクトルカメラまたはハイパースペクトルカメラであることを特徴とする、請求項１〜３のいずれかに記載の装置（１０）。
【請求項５】
少なくとも１つの光学カメラ（１７，２０）は、グレースケールカメラおよび／またはＲＧＢカメラおよび／またはＩＲカメラおよび／またはＵＶカメラとして構成されていることを特徴とする、請求項１〜４のいずれかに記載の装置（１０）。
【請求項６】
前記コンベア（１１）は、プラスチック製で前記搬送面ＴFが低テクスチャの周回駆動されるＸ線用コンベアベルト（２２）であり、上側走行路としての送りベルト（２３）と下側走行路としての戻りベルト（２４）とを有する、ことを特徴とする、請求項１〜５のいずれかに記載の装置（１０）。
【請求項７】
前記コンベア（１１）は、前記コンベア（１１）の動作データを受信および分析するように設計および構成された制御ユニット（１９）に接続されていることを特徴とする、請求項１〜６のいずれかに記載の装置（１０）。
【請求項８】
前記Ｘ線源（１４）は前記送りベルト（２３）の上方に配置されており、前記Ｘ線カメラ（１５）は前記送りベルト（２３）と前記戻りベルト（２４）との間に配置されている、ことを特徴とする、請求項７に記載の装置（１０）。
【請求項９】
前記Ｘ線ユニット（１３）および各々の光学カメラ（１７，２０）ならびに前記コンベア（１１）は、前記データセットを受信および分析するための制御ユニット（１９）に接続されており、前記制御ユニット（１９）は、少なくとも１つのプロセッサ（２８）を備え、前記少なくとも１つのプロセッサ（２８）は、第３のデータセットをなす光学転送画像を生成するために、前記Ｘ線ユニット（１３）で取得された製品（１２）の前記製品固有データの少なくとも部分を、同じ前記製品（１２）に関する前記光学カメラ（１７，２０）による光学画像に統合する／組み込むように構成されている、ことを特徴とする、請求項１〜８のいずれかに記載の装置（１０）。
【請求項１０】
前記プロセッサ（２８）を有する前記制御ユニット（１９）は、前記光学カメラ（１７，２０）で取得された前記製品固有データおよび前記Ｘ線ユニット（１３）で取得された前記製品固有データから、切断経路を規定するように構成されており、前記Ｘ線ユニット（１３）で取得された製品（１２）の前記製品固有データからの前記切断経路を、同じ前記製品（１２）に関する前記光学カメラ（１７，２０）による前記光学画像に直接重ね合わせて、これにより、前記制御ユニット（１９）は、さらなる処理のために、光学カメラ（１７，２０）による光学画像すなわち前記転送画像を供給する、ことを特徴とする、請求項９に記載の装置（１０）。
【請求項１１】
食品加工産業の製品（１２）を処理するように設計および構成されたシステム（２９）であって、前記製品（１２）の製品固有データを取得および分析するように設計および構成された装置（１０）と、前記製品（１２）の搬送方向Ｔにおいて前記装置（１０）の下流に配置された処理ステーション（３０）と、を備え、前記処理ステーション（３０）は、前記製品（１２）を搬送方向Ｔに受入端から送出端まで搬送するためのコンベア（３１）と、前記処理ステーション（３０）の前記コンベア（３１）で搬送される前記製品（１２）の前記製品固有データを取得可能である少なくとも１つの光学カメラ（３２）であって、該光学カメラ（３４）で取得した前記製品固有データを受信および分析するように設計および構成された制御ユニット（３４）に接続された光学カメラ（３２）と、前記製品（１２）の不適切な部分を切断および除去するように、さらに／または前記製品（１２）をポーショニングするように設計および構成された切断ユニット（３３）であって、前に取得および分析された前記製品固有データに基づいて該切断ユニット（３３）を制御するための制御ユニット（３４）に接続された切断ユニット（３３）と、を有する、システムにおいて、
前記製品（１２）の製品固有データを取得および分析するように設計および構成された前記装置（１０）は、請求項１〜１０のいずれかに記載のように構成されている、ことを特徴とするシステム（２９）。
【請求項１２】
当該システム（２９）のすべての制御ユニット（３４）は互いに作用的に接続されており、少なくとも１つの制御ユニット（３４）はプロセッサ（４３）を有し、前記プロセッサ（３４）は、一方で前記装置（１０）の前記光学カメラ（１７，２０）による光学画像と、他方で前記処理ステーション（３０）の前記光学カメラ（３２）による光学画像と、を重ね合わせるように構成されており、これにより、前記製品（１２）の識別、および一方で前記装置（１０）と他方で前記処理ステーション（３０）の２つの前記コンベア（１１，３１）上の各々の製品（１２）の相対位置のマッチングは、前記光学カメラ（１７，２０，３２）の光学画像のみに基づいて行われる、ことを特徴とする、請求項１１に記載のシステム（２９）。
【請求項１３】
前記装置（１０）および前記処理ステーション（３０）は、プロセッサ（４３）を有する制御ユニット（３４）に接続されており、前記プロセッサ（４３）は、前記装置（１０）の前記Ｘ線ユニット（１３）で取得された製品固有データによって強化された、前記装置（１０）の光学カメラ（１７，２０）による光学画像で構成された光学転送画像と、前記処理ステーション（３０）の前記光学カメラ（３２）による光学画像と、を重ね合わせるように構成されており、これにより、前記制御ユニット（３４）によって、各々の製品（１２）のために、個々に決定された切断経路に基づいて、前記切断ユニット（３３）を制御可能である、ことを特徴とする、請求項１１または１２に記載のシステム（２９）。
【請求項１４】
前記切断ユニット（３３）は、少なくとも１つのノズル（５０）を有するウォータジェットユニット（４９）を含むことを特徴とする、請求項１１〜１３のいずれかに記載のシステム（２９）。
【請求項１５】
一方で前記装置（１０）内の、他方で前記処理ステーション（３０）内の、それぞれ少なくとも１つの光学カメラ（１７，３２）は、同じ撮像法を備えることを特徴とする、請求項１１〜１４のいずれかに記載のシステム（２９）。
【請求項１６】
少なくとも１つの制御ユニット（３４）は、少なくとも１つのメモリ（４４）と、少なくとも１つの入力装置（４５）と、少なくとも１つの出力装置（４６）と、を有することを特徴とする、請求項１１〜１５のいずれかに記載のシステム（２９）。
【請求項１７】
食品加工産業の製品（１２）を処理する方法であって、
第１のコンベア（１１）を用いて、前記製品（１２）を搬送方向Ｔに受入端から送出端まで搬送するステップと、
Ｘ線ユニット（１３）によって、前記第１のコンベア（１１）上の各々の製品（１２）に関する製品固有データを取得するステップであって、制御ユニット（１６，１９）により受信されて、不適切な部分の切断除去および／またはポーショニングのための切断経路を規定するために前記制御ユニット（１６，１９）により分析される第１のデータセットをなす製品固有データを取得するステップと、
前記製品を前記第１のコンベア（１１）から下流コンベア（３１）に送り渡すステップであって、前記製品（１２）を搬送方向Ｔに受入端から送出端まで搬送する下流コンベア（３１）に送り渡すステップと、
光学カメラ（３２）によって、前記下流コンベア（３１）上の各々の製品（１２）に関する製品固有データを取得するステップであって、制御ユニット（３４）により受信されて、各々の製品（１２）を識別するために前記制御ユニット（３４）により分析される第４のデータセットをなす製品固有データを取得するステップと、
制御ユニット（３４）によって、２つの前記コンベア（１１，３１）上の各々の製品（１２）の相対的な製品位置を計算するために、受信および分析された前記データセットをマッチングおよび分析するステップと、
制御ユニット（３４）により制御される切断ユニット（３３）によって、前記製品（１２）を、前に決定されて個々の製品に割り当てられた前記切断経路に沿って切断するステップと、を含む、方法において、
前記第１のコンベア（１１）上で、前記Ｘ線ユニット（１３）で取得される前記製品固有データに加えて、各々の製品（１２）に関する製品固有データを光学カメラ（１７，２０）で取得し、前記第１のコンベア（１１）に割り付けられた前記光学カメラ（１７，２０）で取得される第２のデータセットをなす前記データは、制御ユニット（１８，１９，３４）により受信および分析されて、前記製品（１２）の識別、および前記データセットのマッチングおよび分析は、前記光学カメラ（１７，２０，３２）で生成された２つの前記データセットすなわち前記第２のデータセットと前記第４のデータセットに基づいて行う、ことを特徴とする方法。
【請求項１８】
第３のデータセットとしての光学転送画像がマッチングおよび分析のために前記制御ユニット（１９，３４）に転送されるように、前記Ｘ線ユニット（１３）で生成された切断経路を含む前記第１のデータセットを、前記第２のデータセットに、すなわち前記第１のコンベア（１１）に割り付けられた前記光学カメラ（１７，２０）で生成された光学画像に、統合し／組み込み、前記製品（１２）の識別、および前記データセットのマッチングおよび分析は、前記第３のデータセットと前記第４のデータセットに基づいて行う、ことを特徴とする、請求項１７に記載の方法。
【請求項１９】
前記Ｘ線ユニット（１３）および／または他の光学カメラ（１７，２０）で生成された前記不適切な部分の位置を、ベクトルデータ、画素データなどとして、前記第１のコンベア（１１）に割り付けられた前記光学カメラ（１７，２０）による光学画像に統合し／組み込み、前記第１のコンベア（１１）に割り付けられた前記光学カメラ（１７，２０）による光学画像と、前記第２のコンベア（３１）に割り付けられた前記光学カメラ（３２）による光学画像に基づいて、マッチングおよび分析を行う、ことを特徴とする、請求項１７または１８に記載の方法。
【請求項２０】
前記製品を識別するために、前記下流コンベア（３１）に割り付けられた前記光学カメラ（３２）で取得されたすべての光学画像を、前記第１のコンベア（１１）に割り付けられた前記光学カメラ（１７，２０）による光学画像であって制御ユニット（３４）のメモリ（４４）に保存されている光学画像と比較し、そして最もマッチする画像を選択する、ことを特徴とする、請求項１７〜１９のいずれかに記載の方法。
【請求項２１】
当該方法は、請求項１１〜１６のいずれかに記載のシステム（２９）を用いて実施することを特徴とする、請求項１７〜２０のいずれかに記載の方法。
【発明の詳細な説明】
【技術分野】
【０００１】
本発明は、食品加工産業の製品の製品固有データを取得および分析するように設計および構成された装置に関するものであり、その装置は、個別の製品を搬送方向Ｔに受入端から送出端まで搬送するための、搬送面に隙間がないコンベアと、製品固有データを取得するための、少なくとも１つのＸ線源および少なくとも１つのＸ線カメラまたは少なくとも１つのＸ線検出器を含むＸ線ユニットであって、Ｘ線源とＸ線カメラとの間に沿って製品を誘導可能であるように、Ｘ線源とＸ線カメラはコンベアに割り付けられている、Ｘ線ユニットと、Ｘ線ユニットに接続された制御ユニットであって、Ｘ線ユニットで取得された第１のデータセットをなす製品固有データを受信および分析するように設計および構成された制御ユニットと、を有する。
【０００２】
本発明は、さらに、食品加工産業の製品を処理するように設計および構成されたシステムに関し、そのシステムは、それらの製品の製品固有データを取得および分析するように設計および構成された装置と、製品の搬送方向Ｔにおいて装置の下流に配置された処理ステーションと、を備え、処理ステーションは、それらの製品を搬送方向Ｔに受入端から送出端まで搬送するためのコンベアと、処理ステーションのコンベアで搬送される製品の製品固有データを取得可能である少なくとも１つの光学カメラであって、この光学カメラで取得した製品固有データを受信および分析するように設計および構成された制御ユニットに接続された光学カメラと、それらの製品の不適切な部分を切断および除去するように、さらに／またはそれらの製品をポーショニングするように設計および構成された切断ユニットであって、前に取得された製品固有データに基づいて切断ユニットを制御するための制御ユニットに接続された切断ユニットと、を有する。
【０００３】
本発明は、さらに、食品加工産業の製品を処理する方法に関し、その方法は、第１のコンベアを用いて、それらの製品を搬送方向Ｔに受入端から送出端まで搬送するステップと、Ｘ線ユニットによって、第１のコンベア上の各々の製品に関する製品固有データを取得するステップであって、制御ユニットにより受信されて、不適切な部分の切断除去および／またはポーショニングのための切断経路を規定するために制御ユニットにより分析される第１のデータセットをなす製品固有データを取得するステップと、それらの製品を第１のコンベアから下流コンベアに送り渡すステップであって、それらの製品を搬送方向Ｔに受入端から送出端まで搬送する下流コンベアに送り渡すステップと、光学カメラによって、下流コンベア上の各々の製品に関する製品固有データを取得するステップであって、制御ユニットにより受信されて、各々の製品を識別するために制御ユニットにより分析される第４のデータセットをなす製品固有データを取得するステップと、制御ユニットによって、２つのコンベア上の各々の製品の相対的な製品位置を計算するために、受信したデータセットをマッチングおよび分析するステップと、制御ユニットにより制御される切断ユニットによって、それらの製品を、前に決定されて個々の製品に割り当てられた切断経路に沿って切断するステップと、を含む。
【背景技術】
【０００４】
このような装置は、特に食品加工産業において使用される。多くの製品にとって、例えば、分類、包装、特に不適切な部分の切断除去、および／またはポーショニングなど、下流ステーションでのさらなる処理のために、製品固有データを取得することが重要である。製品固有のデータおよび情報を取得することは、特に、外側輪郭、トポグラフィ、外形寸法の長さおよび幅、重量、厚さを取得すること、ならびに、例えば、血斑、骨、骨の取り残し、骨部位などの形態の欠陥、および製品におけるそれらの位置、さらに組織構造などを取得すること、を含み得る。その取得は、検出、推定、走査、取り込みなどによって行うことができる。製品固有データを取得するための専用に設定された、従来知られている一般的なタイプの装置では、製品固有データを取得するためにＸ線ユニットが使用される。Ｘ線ユニットは、第１のデータセットを、例えば（ＣＰＵとも呼ばれる）画像処理コンピュータである制御ユニットに供給する。このデータセットから、それらの製品を切断により処理する例の場合には、制御ユニットを用いて、個々の製品の例えば切断経路を、切断すべき例えば骨部位ついて生成する。さらに、Ｘ線ユニットで特定されて制御ユニットに転送されるデータセットを用いて、例えば、処理対象の製品の外側輪郭を特定することができる。その外側輪郭および切断経路から、例えば、下流ステーションに転送するためのデータセットを生成する。すなわち、制御ユニットは、製品の外側輪郭および切断経路の位置に関する情報を伝えるメッセージとして、例えばＸ線画像を提供する。
【０００５】
Ｘ線ユニットを使用する場合に、最適な画像品質を実現するには、可能な限り平滑でテクスチャおよび隙間がなく、Ｘ線透過性であるコンベアが必要である。特に、そのコンベアは、搬送面が閉じて隙間なく設計される。これは、受入端から送出端までの搬送中に製品固有データを取得および分析するための装置のコンベア上の製品の連続的かつ全面での支持を確保するために、特に、コンベアの搬送面において搬送方向Ｔを横切る方向に、製品処理用として一般的ではない装置において例えば刃および特に切断用ウォータジェットなどの切断手段を収容するために構成される隙間を省くことを意味する。特に分析は、計算、変換なども含む。
【０００６】
装置によって提供されるＸ線画像のさらなる処理、および特に他の光学系である例えば下流の処理ステーションの光学カメラによるデータセットとのマッチングは、これらの撮像法が異なるため、複雑で不正確である。周知の装置におけるその他の問題は、製品における例えば骨、骨の取り残し、筋などの硬組織を越えた向こうの例えば血斑、脂肪斑、寄生虫などの不適切な部分の検出、ならびに外形、輪郭などの検出は、Ｘ線ユニットによると実現できないか、または不正確にしか実現できないことである。すなわち、Ｘ線ユニットを備えた既存の装置の使用分野、およびそのＸ線画像のデータ内容は、限られている。
【０００７】
この問題は、上記のタイプの装置が使用される食品加工産業のシステムおよび方法に特に当てはまる。冒頭で述べたタイプのシステムおよび方法を用いて処理される例えば家禽の切り身または特に魚の切り身などの製品では、内部の骨、魚骨、骨部位などのような個々の部分を製品から切り出す。さらに、血斑、脂肪斑などのような他の欠陥も除去することができる。製品から不適切な部分を切り離すまたは切り出すことに加えて、製品の処理は、さらに製品のポーショニングも含む。特に骨などのような固形組織成分である欠陥を検出するために、それらの欠陥を製品内で識別するために用いるＸ線ユニットが設けられる。そのＸ線ユニットを機能させるためには、前述のように、最適な画像品質を実現するために、可能な限り平滑でテクスチャがないコンベアベルトを使用するコンベアを提供する必要がある。製品を処理するために、すなわち、特にウォータジェットユニットによる切断のために、ウォータジェットユニットによる応力に耐えるテクスチャ付き金属メッシュベルトはコンベアとして有用であるが、Ｘ線ユニットに対しては適していない。コンベアに対する要求が多様であるため、周知の一般的なシステムは、個々の要求に合わせて調整された少なくとも２つのコンベア、すなわち、その装置用の第１のコンベアと、処理ステーション用の他のコンベアと、を備える。これは、周知のシステムが、第１のコンベアから下流コンベアへの少なくとも１回の製品の移行を伴うことを意味する。この移行の結果として、コンベア上の製品の姿勢／位置に変化、変位、ひずみなどが生じることがあり、特に製品の圧縮および伸張が生じることもある。このような問題にもかかわらず、処理ステーションのコンベアへの移行後に、それらの製品の処理すなわち特に製品の切断が個々に正確に実施できるように、それらの製品がコンベア上でのそれらの相対位置に関して識別およびマッチングされることが保証されなければならない。すなわち、第１のコンベア上の製品に関して決定された切断経路は、必要に応じて、第２のコンベア上の同じ製品に合わせて調整されなければならず、または切断ユニットは、必要に応じて、製品の変化した位置／姿勢に合わせて調整されなければならず、ひいては切断経路も調整されなければならない。
【０００８】
この目的のため、周知のシステムおよび方法では、一方で、コンベア上で搬送中の製品の追跡が必要であり、これにより、製品を識別可能であるか、または制御ユニットで受信したデータセットを割り当て可能である。他方で、Ｘ線ユニットで生成されたデータセットを、処理ステーションの光学カメラで生成されたデータセットとマッチングさせなければならない。周知のシステムおよび方法では、例えば、Ｘ線カメラ、またはＸ線ユニットの検出器は、その画像データを画像ストリップとして制御ユニットに送信する。Ｘ線の照射中に、各々の製品は、Ｘ線源とＸ線カメラとの間のコンベア上を運ばれる。制御ユニットでは、受信した画像ストリップにおいて、製品がないかどうか調べる。画像ストリップ内に製品または製品片が存在するときには、それらの画像ストリップをまとめて編成することにより、製品全体の完全なＸ線画像を生成する。編成されたＸ線画像の製品領域において、骨または他の硬組織がないかどうか調べる。制御ユニットのメモリ内に、推定された骨を表すラインの座標を用いてデータ構造を構築する。そのラインデータに基づいて骨部位を推定し、さらにこれにより、切断経路を計算する。この切断経路も、同じくラインセグメントで構成されて、Ｘ線画像およびコンベア上の位置に対する座標で保存される。同じＸ線画像において、制御ユニットにより、さらに製品の外側輪郭を特定し、これも同じくラインセグメントの形式で保存される。その外側輪郭と、その切断経路または各々の切断経路から、メッセージすなわち第１のデータセットを転送画像として生成する。この第１のデータセットは、同じくシステムの制御ユニットであり得る下流の処理ステーションの制御ユニットに転送される。
【０００９】
第１のコンベアから処理ステーションの下流コンベアに製品を移行させた後に、光学カメラによって製品固有データを取得する。取得したデータは、第４のデータセットを構成する。処理ステーションが製品を識別および記録したら直ちに、制御ユニットによって、前に受信して未だ処理していないすべての第１のデータセットを探索する。最適にマッチした第１のデータセットを選択する。第４のデータセットと第１のデータセットとをマッチングおよび分析することで、それらの製品を識別するとともに、２つのコンベア上の各々の製品の相対的な製品位置を計算する。これらのデータセットの番号付けに、論理的意味または実質的意味はなく、単に、そのデータセットのデータ源を示す目的のものにすぎない。
【００１０】
周知のシステムおよび方法は、識別ならびにデータセットのマッチングおよび評価を、異なる撮像法によるものに基づいて、すなわち、一方で装置によるＸ線画像（第１のデータセット）と、他方で処理ステーションによる光学画像（第４のデータセット）とに基づいて行うという欠点がある。つまり、マッチングは、処理ステーションの光学カメラによる光学画像と、装置のＸ線カメラによるＸ線画像と、を比較することにより行われる。一方で、このマッチングプロセスは、異なる撮像法によるものであることから、極めて複雑である。他方で、このマッチングは、必要な精度を欠いている。すなわち、この従来のマッチングは、所望の必要な精度を欠いている。さらなる欠点は、Ｘ線ユニットでは、切除すべき不適切な部分のすべての識別はできないか、または不十分にしか識別できないことである。すなわち、Ｘ線ユニットによって、骨、骨部位、およびその他の硬組織を越えた向こうの欠陥を識別することは難しい。その他の欠点は、システムを通して搬送中に製品を追跡しなければならないことであり、これは、一方でコストがかかり、他方で不正確な結果につながる。
【発明の概要】
【発明が解決しようとする課題】
【００１１】
よって、本発明の目的は、より高度かつより正確なデータ内容のデータセットを生成することができる単純な装置を提供することである。その目的は、さらに、製品を処理するための改良されたシステムを提供することにあり、これにより、より容易かつより正確な、識別、ならびに受信したデータセットのマッチングおよび評価、を可能とする。その目的は、さらに、対応する方法を提案することである。
【課題を解決するための手段】
【００１２】
この目的は、冒頭で述べた特徴を有する装置によって達成され、この装置では、その受入端と送出端との間の同じコンベアに対して、少なくとも１つの光学カメラが割り付けられており、Ｘ線ユニットに加えて、この少なくとも１つの光学カメラにより、コンベア上を搬送される製品の製品固有データを取得することができ、光学カメラは、この光学カメラで取得された第２のデータセットをなす製品固有データを受信および分析するように設計および構成された制御ユニットに接続されている。本発明によるこの実施形態によれば、この装置は、可能性のあるさらなる処理のために、より正確なデータ、特に、より意味のあるデータを供給することができる。一方でＸ線ユニット、他方で少なくとも１つの光学カメラを設けることによって、より多くのデータ、特により正確でもあるデータを生成することが可能であり、そのデータは、個々の個別のデータセットの形で、または個々のデータセットを相互に連結して構成されたデータセットの形で、処理することができる。本発明による装置によれば、より正確かつより高精度な画像レジストレーションが可能であり、これにより、特に、製品内に偏在する圧縮／伸張も、より良好に反映される。
【００１３】
好ましくは、コンベアの上方に少なくとも１つの光学カメラが配置される。これは、このカメラが反射された光線を捉えることができるように、例えば、製品に照射する光線が上方からある角度でコンベアに当たるか、またはコンベア上にある製品に当たることを意味する。簡単に言えば、「上方」という用語は、カメラおよび好ましくは少なくとも１つの光源が上方から製品に対して斜めまたは垂直に向けられていることを意味する。特に効果的なのは、光学カメラにより製品の平面視が確保されるように、光学カメラがコンベアの垂直方向上方に配置される構成である。当然のことながら、コンベアの下方に配置することも可能である。
【００１４】
この装置の好ましい発展形態は、そのコンベアに、異なる撮像法を備える少なくとも２つの光学カメラを割り付けていることを特徴とする。この実施形態の特に効果的な態様は、画像レジストレーションのために製品の完全な画像（写真）である例えば外側輪郭を（製品固有データとして）取得するための、例えばグレースケールカメラのような例えば簡易な光学カメラ、ならびに血斑、脂肪斑などのような不適切な部分を（製品固有データとして）取得するための例えばマルチスペクトルカメラのような特殊カメラ、を使用できることである。
【００１５】
効果的には、この場合の適切な少なくとも１つの光学カメラは、マルチスペクトルカメラまたはハイパースペクトルカメラである。このようなカメラを使用することで、取得される製品固有データの品質を最適化するために、Ｘ線ユニットで検出可能な製品固有データに加えて、特にＸ線ユニットでは検出不可能であるかまたは不十分にしか検出できないさらなる不適切な部分を取得することが可能となる。
【００１６】
好ましくは、この場合の適切な少なくとも１つの光学カメラは、グレースケールカメラおよび／またはＲＧＢカメラおよび／またはＩＲカメラおよび／またはＵＶカメラとして構成される。この好ましい実施形態により、取得される製品固有データの帯域幅が大幅に改善されるとともに、下流ステーションでの光学カメラによる光学画像との可能性のあるマッチングが単純化される。
【００１７】
そのコンベアは、好ましくは、プラスチック製で搬送面が低テクスチャの周回駆動されるＸ線用コンベアベルトであり、上側走行路としての送りベルトと下側走行路としての戻りベルトとを有する。製品は搬送面に載置される。この搬送面は、一方で、非常に平滑であり、すなわち、Ｘ線画像が干渉なく取得されるように、特に割れ目、開口などがないように構成されている。この搬送面は、他方で、コンベア上の製品の滑り／ずれを防ぐために、ミリメートル程度のわずかな表面粗さを呈する。よって、搬送面は低テクスチャであるように構成される。前述のように、コンベアは、搬送面内に隙間がない搬送面を有する。これは、搬送面上の製品が、常にどの位置でも、その全面で支持されることを意味する。すなわち、コンベアは、その送りベルトの搬送面によって、製品のための連続的な支持面を形成している。これにより、最適化されたＸ線画像を確保する。
【００１８】
好ましい発展形態は、コンベアが、このコンベアの動作データを受信および分析するように設計および構成された制御ユニットに接続されていることを特徴とする。コンベアが制御ユニットに接続されていることで、個々の製品の割り当てが単純化される。すなわち、請求項に係るソリューションによって、Ｘ線ユニットおよび各々の光学カメラで取得された製品固有データを製品に対して割り当てることが、改善されて、より正確に可能にとなる。Ｘ線カメラと光学カメラは同じコンベアの上方に配置されることで、互いに非常に接近しているので、画像データすなわちデータセットは、マッチングを伴うことなく直接、コンベアの速度に依存する時間差に基づいて重ね合わせることができる。
【００１９】
好ましい実施形態では、Ｘ線源は送りベルトの上方に配置され、Ｘ線カメラは送りベルトと戻りベルトとの間に配置される。これにより、特に明瞭で意味のあるＸ線画像が取得可能となることで、例えば、製品内の骨、骨部位などの向きおよび位置などの製品固有データの検出または取得が改善される。
【００２０】
本発明の特に好ましい発展形態は、Ｘ線ユニットおよび各々の光学カメラならびにコンベアが、それらのデータセットを受信および分析するための制御ユニットに接続されていることを特徴とし、その制御ユニットは、少なくとも１つのプロセッサを備え、その少なくとも１つのプロセッサは、第３のデータセットをなす光学転送画像を生成するために、Ｘ線ユニットで取得された製品の製品固有データの少なくとも部分を、その同じ製品に関する光学カメラによる光学画像に統合する／組み込むように構成されている。Ｘ線ユニットおよび各々の光学カメラで生成された画像または画像データは、データセットとして、制御ユニットで受信されて、分析される。特に効果的には、（Ｘ線ユニットによる結果である）第１のデータセットを、（光学カメラによる結果である）第２のデータセットに統合する／組み込むことで、第３のデータセットを形成する。この第３のデータセットは、光学転送画像である。特に好ましくは、（Ｘ線ユニットで取得された製品固有データ＝第１のデータセットとしての）骨、骨部位、およびその他の硬組織部位の向き／位置／範囲を、例えば製品の全体または外側輪郭を示す光学画像（＝第２のデータセット）に重ね合わせることで、その結果としての光学画像（＝第３のデータセット）すなわち転送画像を生成する。第３のデータセットとしてのこの光学画像は、よって、製品の例えば外側輪郭などの形状／形態に関するデータ、ならびに切除すべき例えば骨部位などの欠陥に関するデータ、を供給する。この実施形態により、可能性のある製品固有データのさらなる処理は簡単化および単純化される。この装置のＸ線ユニットと光学カメラまたは各々の光学カメラが、１つの同じコンベアに割り付けられていることによって、画像のマッチング、すなわちＸ線画像と光学カメラによる画像とのマッチングを、省くことが可能である。つまり、特に、コンベアの動作データに基づいて、個々の製品の位置を特定できれば、製品への製品固有データの割り当ては容易かつ正確に確保される。オプションとして、追加の光学カメラで、欠陥に関するデータを供給することもでき、それを制御ユニットで取得および分析することができる。
【００２１】
特に好ましくは、この発展形態は、プロセッサを有する制御ユニットが、光学カメラで取得された製品固有データおよびＸ線ユニットで取得された製品固有データから、切断経路を規定するように構成されていることを特徴とし、Ｘ線ユニットで取得された製品の製品固有データからの切断経路を、その同じ製品に関する光学カメラによる光学画像に直接重ね合わせて、これにより、制御ユニットは、さらなる処理のために、光学カメラによる光学画像すなわち転送画像を供給する。Ｘ線ユニットに加えて１つのみの光学カメラを設けている場合には、Ｘ線ユニットは制御ユニットを介して、例えば切断経路のみを供給することができ、一方、光学カメラは制御ユニットを介して、製品の全体または外側輪郭と、さらに必要に応じてＸ線画像からの切断経路の品質を補償する追加の切断経路と、を供給することができる。次に、これらのデータ（切断経路および製品写真および／または外側輪郭）を互いに合成して、これにより、共通の第３のデータセットを、すなわち光学画像に基づくデータセットを生成することができる。Ｘ線ユニットに加えて２つの光学カメラを設けている場合には、Ｘ線ユニットは制御ユニットを介して、例えば切断経路のみを供給することができ、一方、第１の光学カメラは制御ユニットを介して、製品写真および／または外側輪郭を供給し、そして第２の光学カメラは制御ユニットを介して、切断経路を供給する。
【００２２】
本発明による装置は、独立したソリューションとして用いることができる。しかしながら、好ましくは、この装置は下流の処理ステーションに結合される。これは、上記の装置から得られた知識、データ、情報などを、処理ステーションにおけるさらなる処理のために使用できることを意味する。このさらなる処理は、分類、包装、特に不適切な部分の除去および／またはポーショニングを目的とした切断、を含み得る。
【００２３】
よって、本目的は、さらに、冒頭で述べた特徴を有するシステムによって達成され、このシステムでは、それらの製品の製品固有データを取得および分析するように設計および構成された装置は、本願の請求項の１つに従って構成される。その結果として得られる効果については、装置に関して既に説明したので、繰り返しを避けるために、関連部分を参照する。特に効果的であるのは、それらの製品を識別ならびにマッチングおよび分析するために、光学カメラからの光学画像を互いに重ね合わせることができることである。すなわち、マッチングは、同じ撮像法または少なくとも類似の撮像法を用いた光学画像の間で行われ、これにより、マッチングプロセスは単純化されて、その品質は向上する。
【００２４】
よって、特に好ましい発展形態は、このシステムのすべての制御ユニットが互いに作用的に接続されていることを特徴とし、少なくとも１つの制御ユニットはプロセッサを有し、そのプロセッサは、一方でその装置の光学カメラによる光学画像と、他方で処理ステーションの光学カメラによる光学画像と、を重ね合わせるように構成されており、これにより、それらの製品の識別、および一方で装置と他方で処理ステーションの２つのコンベア上の各々の製品の相対位置のマッチングは、光学カメラの光学画像のみに基づいて行われる。
【００２５】
特に効果的な発展形態では、装置および処理ステーションは、プロセッサを有する制御ユニットに接続されており、そのプロセッサは、この装置のＸ線ユニットで取得された製品固有データによって強化された、装置の光学カメラによる光学画像で構成された光学転送画像と、処理ステーションの光学カメラによる光学画像と、を重ね合わせるように構成されており、これにより、制御ユニットによって、各々の製品のために、個々に決定された切断経路に基づいて、切断ユニットを制御可能である。つまり、第３のデータセットと第４のデータセットとをマッチングに用いる。
【００２６】
好ましくは、切断ユニットは、少なくとも１つのノズルを有するウォータジェットユニットを含む。この実施形態によれば、不適切な部分を切除するため、および／またはポーショニングのために、特に迅速かつ正確に個々の分離切断およびトリミング切断を実施することができる。
【００２７】
特に好ましくは、一方で装置内の、他方で処理ステーション内の、それぞれ少なくとも１つの光学カメラは、同じ撮像法を備える。これにより、マッチングは、さらに単純化される。
【００２８】
効果的には、少なくとも１つの制御ユニットは、少なくとも１つのメモリと、少なくとも１つの入力装置と、少なくとも１つの出力装置と、を有する。
【００２９】
本目的は、さらに、冒頭で述べた方法ステップを有する方法によって達成され、この方法では、第１のコンベア上で、Ｘ線ユニットで取得される製品固有データに加えて、各々の製品に関する製品固有データを光学カメラで取得し、第１のコンベアに割り付けられた光学カメラで取得される第２のデータセットをなすデータは、制御ユニットにより受信および分析されて、それらの製品の識別、およびそれらのデータセットのマッチングおよび分析は、光学カメラで生成された２つのデータセットすなわち第２のデータセットと第４のデータセットに基づいて行われる。その結果として得られる効果については、システムに関して既に説明したので、繰り返しを避けるために、関連部分を参照する。
【００３０】
本方法は、さらに、第３のデータセットとしての光学転送画像がマッチングおよび分析のために制御ユニットに転送されるように、Ｘ線ユニットで生成された切断経路を含む第１のデータセットを、第２のデータセットに、すなわち第１のコンベアに割り付けられた光学カメラで生成された光学画像に、統合する／組み込むことを特徴とし、それらの製品の識別、およびそれらのデータセットのマッチングおよび分析は、第３のデータセットと第４のデータセットに基づいて行われる。
【００３１】
好ましくは、Ｘ線ユニットで生成された不適切な部分の位置を、ベクトルデータ、画素データなどとして、第１のコンベアに割り付けられた光学カメラによる光学画像に統合し／組み込み、第１のコンベアに割り付けられた光学カメラによる光学画像と、第２のコンベアに割り付けられた光学カメラによる光学画像に基づいて、マッチングおよび分析を行う。任意選択的に、この装置の他の光学カメラで生成された不適切な部分を、ベクトルデータ、画素データなどとして、マッチングに使用される光学画像に統合する／組み込むこともできる。
【００３２】
効果的には、それらの製品を識別するために、下流のコンベアに割り付けられた光学カメラで取得されたすべての光学画像を、第１のコンベアに割り付けられた光学カメラによる光学画像であって制御ユニットのメモリに保存されている光学画像と比較し、そして最もマッチする画像を選択する。
【００３３】
特に好ましくは、本方法は、本願の請求項の１つによるシステムを用いて実施する。
【００３４】
さらなる適切かつ／または効果的な特徴およびさらなる改良ならびに好ましい方法ステップは、従属請求項および本説明から明らかとなる。装置およびシステムならびに方法の特に好ましい実施形態について、添付の図面を参照して、さらに詳細に説明する。
【図面の簡単な説明】
【００３５】
【図１】図１は、Ｘ線ユニットおよび光学カメラを備えた、本発明による装置の第１の実施形態の概略図である。
【図２】図２は、Ｘ線ユニットおよび２つの光学カメラを備えた、本発明による装置のさらなる実施形態の概略図である。
【図３】図３は、本発明によるシステムの第１の実施形態の概略図である。
【図４】図４は、本発明によるシステムのさらなる実施形態の概略図である。
【図５】図５は、本発明によるシステムのさらなる実施形態の概略図である。
【発明を実施するための形態】
【００３６】
図面に示す装置は、魚の切り身の製品固有データを取得および分析するように構成されている。従って、図示のシステムは、魚の切り身を加工すなわち切断するように構成されている。しかしながら、同様にして、本装置および本システムは、食肉、家禽など、食品加工産業のその他の製品の製品固有データを取得および分析するとともに、その製品を処理するように構成される。
【００３７】
図１は、製品固有データを取得および分析するように設計および構成された装置１０を示しており、この装置１０は、個別の製品１２を搬送方向Ｔに受入端Ｅから送出端Ａまで搬送するための、搬送面に隙間がないコンベア１１と、製品固有データを取得するための、少なくとも１つのＸ線源１４および少なくとも１つのＸ線カメラ１５または少なくとも１つのＸ線検出器を含むＸ線ユニット１３と、を有し、Ｘ線源１４とＸ線カメラ１５との間に沿って製品１２を誘導可能であるように、Ｘ線源１４とＸ線カメラ１５はコンベア１１に割り付けられている。さらに、この装置１０は、Ｘ線ユニット１３に接続された制御ユニット１６を有し、この制御ユニット１６は、Ｘ線ユニット１３で取得された第１のデータセットをなす製品固有データを受信および分析するように設計および構成されている。従って、Ｘ線ユニット１３は、制御ユニット１６に情報／データを供給する。
【００３８】
制御ユニット１６により、Ｘ線ユニット１３で取得された骨、骨部位の向き／位置などの製品固有データまたはそのデータ部分を分析して、データセットとして供給する。Ｘ線ユニット１３と制御ユニット１６との間の接続は、様々な方法で実現することができ、すなわち、例えば有線／ケーブルで、または例えば無線インタフェースもしくはＢｌｕｅｔｏｏｔｈ（登録商標）インタフェースなどによる無線で、実現することができる。
【００３９】
本発明によれば、この装置１０は、その受入端Ｅと送出端Ａとの間の同じコンベア１１に対して、少なくとも１つの光学カメラ１７が割り付けられており、Ｘ線ユニット１３に加えて、この少なくとも１つの光学カメラ１７により、コンベア１１上を搬送される製品１２の製品固有データを取得することができ、この光学カメラ１７は、光学カメラ１７で取得された第２のデータセットをなす製品固有データを受信および分析するように設計および構成された制御ユニット１８に接続されている、ことを特徴とする。
【００４０】
例えば製品の外側輪郭、長さ、幅、厚さ、プロファイル、重量、体積などのような製品のサイズおよび形状だけではなく、例えば血斑、脂肪斑などの欠陥のような、光学カメラ１７で取得された製品固有データまたはそのデータ部分を、制御ユニット１８により分析して、第２のデータセットとして供給する。光学カメラ１７と制御ユニット１８との間の接続は、様々な方法で実現することができ、すなわち、例えば有線／ケーブルで、または例えば無線インタフェースもしくはＢｌｕｅｔｏｏｔｈインタフェースなどによる無線で、実現することができる。
【００４１】
以下で記載する特徴および改良ならびに方法ステップは、個々に単独で、または互いに組み合わせて捉えることで、好ましい実施形態を構成する。明確に指摘されるのは、請求項および／または明細書および／または図面に記載された特徴および方法ステップ、あるいは共通の実施形態に記載された特徴および方法ステップは、機能的に独立に、上記の装置ならびに以下で記載するシステムおよび方法をさらに発展せることも可能であるということである。
【００４２】
光学カメラ１７は、製品１２の搬送方向Ｔに、Ｘ線ユニット１３の上流に配置することができ、または図１に示すように、Ｘ線ユニット１３の下流に配置することができる。Ｘ線ユニット１３と光学カメラ１７は、それぞれ、別々の制御ユニット１６、１８に接続することができる。例えば図２による他の実施形態では、Ｘ線ユニット１３と光学カメラ１７を共通の制御ユニット１９に接続することもできる。
【００４３】
コンベア１１に対するＸ線ユニット１３および／または光学カメラ１７の位置は様々であり得る。Ｘ線ユニット１３および／または光学カメラ１７をコンベア１１の下方に配置することに加えて、コンベア１１の上方に配置することが好ましい。図１には、そのような実施形態を例として示しており、この場合、コンベア１１の上方に、Ｘ線ユニット１３だけではなく、光学カメラ１７も配置している。この文脈での「上方」とは、Ｘ線源１４および光学カメラ１７の光源が製品１２に上方から当たることを意味する。これは、製品１２の平面視を確保するために、上方から斜めの角度で、さらに好ましくは上方から垂直に、当てることができる。
【００４４】
好ましい実施形態では、図２に示すように、少なくとも２つの光学カメラ１７、２０がコンベア１１に割り付けられる。これらの２つの光学カメラ１７、２０は、同じ撮像法を備え得る。しかしながら、好ましくは、これらの２つの光学カメラ１７、２０は、異なる撮像法を備える。本発明における意味の範囲内での光学カメラは、グレースケールカメラ／センサ、ＲＧＢカメラ／センサ、および赤外線もしくは紫外線カメラ／センサであり得る。各々の光学カメラは、例えば、エリアカメラまたはラインカメラとして構成することができる。グレースケールカメラまたはセンサでは、光能動素子である例えばフォトダイオード、フォトトランジスタによって、可視域の電磁波をセンサでの電気信号に変換する。ＲＧＢカメラまたはセンサでは、入射光波を画素の手前でプレフィルタリングすることにより、光を、位置に応じて赤／緑／青チャネルに分割する。赤外線もしくは紫外線カメラまたはセンサでは、光能動素子の選択によって、可視光と比較して長い波長（ＩＲ）または短い波長（ＵＶ）の範囲に感度をシフトさせる。
【００４５】
光学カメラ１７、２０の少なくとも１つは、マルチスペクトルカメラまたはハイパースペクトルカメラである。光学カメラ１７、２０の少なくとも１つは、グレースケールカメラおよび／またはＲＧＢカメラおよび／またはＩＲカメラおよび／またはＵＶカメラとして構成される。図２による実施形態では、一方の光学カメラである例えば光学カメラ１７は、簡易カメラであり、すなわち、例えばグレースケールカメラである。この光学カメラ１７によって、例えば外側輪郭を製品固有データとして取得して、制御ユニット１９に転送することができる。他方の光学カメラ２０は、複雑なカメラ、すなわち、例えばハイパースペクトルカメラであり得る。この光学カメラ２０によって、不適切な部分である例えば血斑、骨（取り残し）、軟骨、脂肪などの形態の欠陥、さらには例えばガラス、プラスチックなどの異物も、製品固有データとして取得して、制御ユニット１９に転送することができる。カメラ／センサの台数およびそれらのコンベア１１に沿った位置は様々であり得る。
【００４６】
装置１０のコンベア１１は、コンベアベルトを支持するためのフレーム２１を備える。コンベアベルトは、好ましくは、プラスチック製で搬送面ＴFが低テクスチャの周回駆動されるＸ線用コンベアベルト２２であり、上側走行路としての送りベルト２３と下側走行路としての戻りベルト２４とを有する。その上向きの搬送面ＴFを有するＸ線用コンベアベルト２２には、開口、割れ目、隙間などがない。すなわち、搬送面ＴFは、その長さと幅の全体にわたって閉じたものとして構成されている。好ましくはエンドレスに構成されるＸ線用コンベアベルト２２は、ゴム、プラスチック、または他の合成材料で構成されて、Ｘ線透過性であり、少なくとも２つの変向要素２５、２６の周りに案内されて、そのうちの１つの変向要素２５または２６は駆動ローラとして構成されており、他方の変向要素２６または２５は変向ローラとして構成されている。特に、駆動手段で駆動可能な駆動ローラの領域に、オプションとしてエンコーダ２７を設けることができ、これにより、コンベア１１の長さに沿ったＸ線用コンベアベルト２２の位置、ひいてはコンベア１１上の製品１２の位置を、特定または監視することができる。製品１２のほうに向いたＸ線用コンベアベルト２２の搬送面ＴFは、低テクスチャであるように構成される。これは、閉じた搬送面ＴFがわずかな粗さを有することを意味する。しかしながら、完全に平滑な搬送面を用いることもできる。
【００４７】
図示の実施形態では、Ｘ線源１４は、コンベア１１の上方かつ送りベルト２３の上方に配置されている。Ｘ線カメラ１５は、送りベルト２３と戻りベルト２４との間に配置されている。任意選択的に、Ｘ線カメラ１５を、戻りベルト２４の下方に配置することもできる。送りベルト２３または戻りベルト２４に対してＸ線源１４およびＸ線カメラ１５を他の配置とすることも可能である。
【００４８】
任意選択的に、コンベア１１は、コンベア１１の動作データを受信および分析するように設計および構成された制御ユニット１９に接続される。図２による実施形態では、コンベア１１またはエンコーダ２７は、Ｘ線ユニット１３および光学カメラ１７、２０も接続されている共通の制御ユニット１９に接続されている。しかしながら、他の制御ユニット１６、１８に作用的に接続されている別個の制御ユニットに接続することも可能である。
【００４９】
１つの制御ユニットまたは各々の制御ユニット１６、１８、１９は、少なくとも１つのプロセッサ（ＣＰＵ）２８を有する。好ましくは、Ｘ線ユニット１３および各々の光学カメラ１７、２０ならびにコンベア１１は、それらのデータセットを受信および分析するための共通の制御ユニットまたは上位の制御ユニット１９に接続されて、その場合、制御ユニット１９は、第３のデータセットをなす光学転送画像を生成するために、Ｘ線ユニット１３で取得された製品の製品固有データの少なくとも部分を、その同じ製品に関する光学カメラ１７、２０による光学画像に統合する／組み込むように構成された少なくとも１つのプロセッサ（ＣＰＵ）２８を備える。この好ましい実施形態を図２に示している。他の実施形態では、Ｘ線ユニット１３および／または個々の光学カメラ１７、２０および／またはコンベア１１のみを、共通の制御ユニット１９に接続することができる。制御ユニット１９は、そして必要に応じて他のいずれかの制御ユニット１６、１８も、少なくとも１つのプロセッサ２８に加えて、オプションとして、メモリ、入力装置、出力装置、およびインタフェースを有する。さらに、装置１０は、制御ユニット１９を介して、内部でネットワーク化できるネットワーク（イントラネット）または外部にネットワーク化できるネットワーク（インタネット）に接続することが可能である。また、Ｘ線ユニット１３、光学カメラ１７、２０、およびコンベア１１を、上位の制御ユニットと連携する別々の制御ユニット１６、１８に接続することもできる。
【００５０】
すべての制御ユニット１６、１８、１９、特に制御ユニット１９は、すなわち産業用コントローラ、コンピュータなどであって、前述のように、Ｘ線ユニット１３および各々の光学カメラ１７、２０からデータセットを取得するように設計および構成された少なくとも１つのプロセッサ２８（ＣＰＵ）を有する。好ましくは、Ｘ線ユニット１３で取得された製品固有データの選択されたものである例えば魚の切り身のピンボーン列の向き（例えば、第１のデータセット）を、プロセッサ２８によって、製品１２の外側輪郭を示す光学カメラ１７、２０による光学画像（例えば、第２のデータセット）に組み込む／統合する。すなわち、Ｘ線ユニット１３からの利用できる製品固有データを、光学カメラ１７、２０による光学画像に重ね合わせる。その結果として得られる転送画像（例えば、第３のデータセット）は、最終的には、Ｘ線ユニット１３および各々の光学カメラ１７、２０から得られた、後続の処理のために必要なすべてのデータを含むデータパケットであり、その転送画像は光学画像である。
【００５１】
特に好ましくは、プロセッサ２８を有する制御ユニット１９は、光学カメラ１７、２０で取得された製品固有データおよびＸ線ユニット１３で取得された製品固有データから、切断経路を規定するように構成されており、その場合、Ｘ線ユニット１３で取得された製品１２の製品固有データからの切断経路を、その同じ製品１２に関する光学カメラ１７、２０による光学画像に直接重ね合わせて、これにより、制御ユニット１９は、さらなる処理のために、光学カメラ１７、２０による光学画像すなわち転送画像を供給する。さらなる処理のための別個のデータセットを供給することもでき、それらのデータセットを下流の処理ステーションの制御ユニットにより処理することができる。
【００５２】
単なる例として、２通りの可能な実施形態について、図１および２に基づいて、さらに詳細に説明する。図１による装置１０では、例えば、光学カメラ１７および接続された制御ユニット１８によって、製品１２の外側輪郭（例えば、第２のデータセット）を生成または表現することができ、一方、Ｘ線ユニット１３および接続された制御ユニット１６によって、製品１２から切除すべき領域に対する切断経路（例えば、第１のデータセット）を生成または表現することができる。第１のデータセットを第２のデータセットに重ね合わせることによって、すなわち何らかのマッチングを伴うことなく、第３のデータセットを光学画像として生成または表現する。この重ね合わせは、例えば、コンベア１１の搬送速度の関数としての、Ｘ線画像の生成と光学画像の生成との間の時間差のみに基づいて、行うことができる。
【００５３】
図２による装置１０では、例えばグレースケールカメラである光学カメラ１７および接続された制御ユニット１９によって、例えば、製品１２の外側輪郭を生成または表現することができる。例えばハイパースペクトルカメラである光学カメラ２０および接続された制御ユニット１９によって、簡易な光学カメラ１７またはＸ線ユニット１３のいずれかでは確実かつ正確に識別されない血斑、変色、切れ端などのような欠陥であって、製品１２から切除すべき欠陥に対する、切断経路を生成または表現することができる。これらのデータセットから、制御ユニット１９は、第３のデータとしての転送画像を形成する。この転送画像は、グレースケールカメラによる光学画像および／またはハイパースペクトルカメラによる光学画像に基づいて生成することができ、これにより、切断経路に加えて、特に製品１２の外側輪郭を生成または表現することもできる。その転送画像は、任意選択的にＸ線ユニットが提供するデータセットによって強化されて、その後、下流の光学カメラによる光学画像との可能性のあるマッチングに使用可能となり得る。しかしながら、Ｘ線ユニットが提供するデータセットを、そのカメラまたは各々のカメラが提供するデータセットとは別に独立に、さらなる処理のために供給することもできる。
【００５４】
前述のように、装置１０は、製品固有データを取得および分析するための別個の移動式装置として使用することができる。しかしながら、好ましくは、装置１０は、食品加工産業の製品１２を処理するためのシステム２９の一部である（特に図３を参照）。製品１２の処理は、分類および包装に加えて、特に切断も含み、この切断は、一方で製品１２の不適切な部分の切除、および／または他方で製品１２の分割／ポーショニング、を含む。
【００５５】
システム２９は、それらの製品１２の製品固有データを取得および分析するように設計および構成された装置１０と、製品１２の搬送方向Ｔにおいて装置１０の下流に配置された処理ステーション３０と、を備え、処理ステーション３０は、それらの製品１２を搬送方向Ｔに受入端Ｅから送出端Ａまで搬送するためのコンベア３１と、処理ステーション３０のコンベア３１で搬送される製品１２の製品固有データを取得可能である少なくとも１つの光学カメラ３２と、切断ユニット３３と、を有する。光学カメラ３２は、この光学カメラ３２で取得した製品固有データを受信および分析するように設計および構成された制御ユニット３４に接続されている。切断ユニット３３は、それらの製品１２の不適切な部分を切断および除去するように、さらに／またはそれらの製品１２をポーショニングするように設計および構成されており、この切断ユニット３３は、前に取得および分析された製品固有データに基づいて切断ユニット３３を制御するための制御ユニット３４に接続されている。
【００５６】
このシステム２９は、本発明によれば、それらの製品１２の製品固有データを取得および分析するように設計および構成された装置１０が、上述のように、または上述のような実施形態の１つで、構成されていることを特徴とする。
【００５７】
図３は、システム２９の第１の実施形態を示している。装置１０は、コンベア１１に加えて、Ｘ線ユニット１３および光学カメラ１７を有する。Ｘ線ユニット１３および光学カメラ１７は、この実施形態では、制御ユニット３４に接続されている。任意選択的に、コンベア１１を制御ユニット３４に接続することもできる（例えば図４を参照）。システム２９内のすべてのケーブル／信号接続は、様々な方法で実現することができ、すなわち、例えば有線／ケーブルで、または例えば無線インタフェースもしくはＢｌｕｅｔｏｏｔｈインタフェースなどによる無線で、実現することができる。処理ステーション３０は、コンベア３１に加えて、光学カメラ３２および切断ユニット３３を有する。処理ステーション３０は、さらに、オプションとして、コンベア３１から製品１２またはその部分を取り出すための取出ステーション３５を有する。光学カメラ３２、切断ユニット３３、および取出ステーション３５は、この例示的な実施形態では、制御ユニット３４に接続されている。任意選択的に、コンベア３１を、制御ユニット３４に接続することもできる（例えば図４を参照）。また、すべての構成要素を、上位の制御ユニットに作用的に接続された別々の制御ユニットに接続することもできる。さらに、装置１０の個々の構成要素またはすべての構成要素を、処理ステーション３０の制御ユニットに作用的に接続されている制御ユニットにリンクさせることも可能である。
【００５８】
処理ステーション３０のコンベア３１は、コンベアベルトを支持するためのフレーム３６を備える。コンベアベルトは、好ましくは、開構造またはメッシュ状構造の周回駆動されるコンベアベルト３７である。このコンベアベルト３７は、好ましくは、ステンレス鋼または他の強固かつ非錆性の材料で構成される。コンベアベルト３７は、上側走行路としての送りベルト区間３８と下側走行路としての戻りベルト区間３９とを有する。その上向きの搬送面ＴFを有するコンベアベルト３７は、開口、割れ目、隙間などを含む。すなわち、搬送面ＴFは、好ましくは、その長さと幅の全体にわたって特に水に対して透過性であるように構成されている。好ましくはエンドレスに構成されるコンベアベルト３７は、少なくとも２つの変向要素４０、４１の周りに案内されて、そのうちの１つの変向要素４０または４１は駆動ローラとして構成されており、他方の変向要素４１または４０は変向ローラとして構成されている。特に、駆動手段で駆動可能な駆動ローラの領域に、オプションとしてエンコーダ４２を設けることができ、これにより、コンベア３１の長さに沿ったコンベアベルト３７の位置、ひいてはコンベア３１上の製品１２の位置を、特定または監視することができる。
【００５９】
図４によるシステム２９は、図３によるシステム２９に類似しているので、同等の構成要素に対して同じ参照番号を用いている。図３によるシステム２９に追加して、図４によるシステム２９は、同様に制御ユニット３４に接続された第２の光学カメラ２０を、装置１０のために備える。さらに、前述のようなコンベア１１、３１は、制御ユニット３４に接続されている。
【００６０】
好ましくは、１つの実施形態もしくは各々の実施形態において、システム２９の制御ユニットのすべては、互いに作用的に接続されているか、または共通の制御ユニット３４を形成している。この制御ユニット３４は、少なくとも１つのプロセッサ４３を有し、この少なくとも１つのプロセッサ４３は、一方で装置１０の光学カメラ１７、２０による光学画像と、他方で処理ステーション３０の光学カメラ３２による光学画像と、を重ね合わせるように構成されており、これにより、それらの製品１２の識別、および一方で装置１０と他方で処理ステーション３０の２つのコンベア１１、３１上の各々の製品１２の相対位置のマッチングは、光学カメラ１７、２０、３２の光学画像のみに基づいて行われる。制御ユニット３４は、少なくとも１つのプロセッサ４３に加えて、オプションとして、メモリ４４、入力装置４５、出力装置４６、およびインタフェース４７を有する。さらに、システム２９は、制御ユニット３４を介して、内部でネットワーク化できるネットワーク４８（イントラネット）または外部にネットワーク化できるネットワーク４８（インタネット）に接続することが可能である。従って、制御ユニット３４およびプロセッサ４３により、一方で装置１０の光学画像と他方で処理ステーション３０の光学画像の画像データを、識別のために比較することができるとともに、２つのコンベア１１、３１上の各々の製品１２の相対位置を特定するために、それらの画像データをマッチングおよび分析することが可能である。制御ユニット３４によって、さらに、プロセッサ４３の構成により、それらの画像データ間の変換を実施することができる。
【００６１】
好ましい実施形態では、装置１０および処理ステーション３０は、プロセッサ４３を有する制御ユニット３４に接続されており、そのプロセッサ４３は、装置１０のＸ線ユニット１３で取得された製品固有データによって強化された、装置１０の光学カメラ１７および／または２０による少なくとも１つの光学画像で構成された光学転送画像と、処理ステーション３０の光学カメラ３２による光学画像と、を重ね合わせるように構成されており、これにより、制御ユニット３４によって、各々の製品１２のために、個々に決定された切断経路に基づいて、切断ユニット３３を制御可能である。
【００６２】
好ましい実施形態では、切断ユニット３３は、少なくとも１つのノズル５０を有するウォータジェットユニット４９を含む。任意選択的に、このノズル５０または各々のノズル５０は、任意の切断経路をたどることができるように、空間内で自由に制御可能である。ウォータジェットユニット４９に代えて、切断用のナイフ、刃、バンドナイフなどのような、他の切断手段を制御することもできる。この目的で、切断ユニット３３は、１つのナイフまたは複数のナイフを含むことができる。
【００６３】
好ましくは、一方で装置１０と他方で処理ステーション３０の少なくとも１つの光学カメラ１７、２０、３２のそれぞれは、同じ撮像法を備える。特に好ましい実施形態では、装置１０は、外側輪郭を記録するための例えばグレースケールカメラである簡易な光学カメラ１７と、欠陥を記録するための例えばハイパースペクトルカメラである複雑な光学カメラ２０と、を有し、処理ステーション３０は、例えば同じくグレースケールカメラである簡易な光学カメラ３２を有する。このとき、マッピングは、２つの同じ撮像システムの間で特に簡単な方法（グレースケール法）で行うことができる。この場合、装置１０の光学カメラ１７による光学画像は、転送画像（第３のデータセット）の基礎をなし、これに対して、装置１０のＸ線ユニット１３および第２の光学カメラ２０のデータ（切断経路）が組み込まれる。また、マッチングは、例えば光学カメラ１７の光学画像のみに基づいて行うこともでき、一方、切断経路を示すためのＸ線ユニット１３および他の光学カメラ２０のデータセットは、処理ステーション３０のカメラ３２による光学画像に直接重ね合わせる。
【００６４】
図示していないさらなる実施形態では、装置１０のコンベア１１から処理ステーション３０のコンベア３１への移行部に、追加の光学カメラを配置することができる。この光学カメラは、装置１０のコンベア１１の送出端と、処理ステーション３０のコンベア３１の受入端を同時に記録する。この光学カメラも、好ましくは、制御ユニット３４に接続されている。このような光学カメラを用いることで、２つの画像データ（すなわち、処理ステーション３０の光学カメラ３２の画像データと、装置１０の光学カメラ１７および／または２０の画像データ）の間のマッチングを省略するとともに、１つのコンベア１１から下流のコンベア３１に移行する間の製品の動きを光学カメラで観測することにより変換規則を計算することが可能である。
【００６５】
図５は、図３および４の実施形態に構成が基本的に類似した、システム２９のさらなる実施形態を示している。ただし、図５による実施形態のシステム２９は、装置１０のコンベア１１と処理ステーション３０のコンベア３１との間に、装置１０から処理ステーション３０への製品１２の移行を最適化するための中間コンベア５１を備える。この中間コンベア５１は、２つよりも多くの変向要素５３の周りに案内されるエンドレスコンベアベルト５２を有する。変向要素５３の少なくとも１つは、駆動ローラとして構成されている。さらなる変向要素５３は、コンベアベルト５２の張力の調整を可能とするために用いられる。中間コンベア５１の受入端Ｅと送出端Ａに配置されている変向要素５３は、その外径が隣接するコンベア１１、３１の変向要素２５、４１の外径と比較して相応に小さい変向ローラである。これにより、コンベアベルト５２と一方の側の送りベルト２３および他方の側の送りベルト３８との間の間隙を減少させることで、装置１０のコンベア１１と中間コンベア５１と処理ステーションのコンベア３１によって、略連続的で隙間がない搬送面を形成している。好ましくは、コンベア１１、３１および中間コンベア５１はすべて同じ速度で駆動される。任意選択的に、中間コンベア５１は、装置１０のコンベア１１と処理ステーション３０のコンベア３１との間に存在する高低差を補償することもできる。
【００６６】
好ましくは、中間コンベア５１も、制御ユニット３４に接続される。本実施形態の発展形態では、少なくとも１つの光学カメラ５４を中間コンベア５１に割り付けることができる。図５は、コンベア１１から中間コンベア５１への移行部と、中間コンベア５１からコンベア３１への移行部と、その両方を光学カメラ５４で記録する選択肢を示している。これらの光学カメラの他の配置および構成も可能である。
【００６７】
当然のことながら、撮像システムとして詳述したシステム２９の光学カメラに加えて、例えば、３Ｄシステムおよび他の撮像システムを用いることもできる。
【００６８】
本方法の原理について、以下で図面に基づいて、さらに詳細に説明する。本方法は、食品加工産業の製品１２を処理するために用いられる。魚の切り身の切断の場合について説明する。しかしながら、本方法は、製品固有データに従って、鶏肉の切り身などのような他の製品１２を切断するため、ならびに分類または包装するため、に同様に用いることもできる。
【００６９】
それらの製品１２を、最初に第１のコンベア１１によって、受入端Ｅから送出端Ａまで搬送方向Ｔに搬送する。Ｘ線ユニット１３によって、第１のコンベア１１上の各々の製品１２に関して、特に骨、骨部位、およびその他の硬組織の形態の欠陥である製品固有データを取得し、このとき、第１のデータセットをなす取得されたデータは、制御ユニット３４により受信されて、例えば魚の切り身である製品１２から不適切な部分を切除するため、および／または製品１２のポーショニングのための、切断経路を決定するために制御ユニット３４により分析される。次に、それらの製品１２を、第１のコンベア１１から下流コンベア３１に送り渡し、その下流コンベア３１によって、それらの製品１２を搬送方向Ｔに受入端から送出端まで搬送する。光学カメラ３２によって、下流コンベア３１上で製品固有データを取得し、このとき、特に外側輪郭である第４のデータセットをなす取得されたデータは、制御ユニット３４により受信されて、各々の製品を識別するために制御ユニット３４により分析される。本発明によれば、第１のコンベア１１上で、Ｘ線ユニット１３で取得される製品固有データに加えて、各々の製品１２に関する製品固有データを、少なくとも１つの光学カメラ１７および／または２０で取得し、このとき、第１のコンベア１１に割り付けられた光学カメラ１７および／または２０で取得される第２のデータセットをなすデータは、制御ユニット３４により受信および分析される。さらに、制御ユニット３４によって、２つのコンベア１１、３１上の各々の製品１２の相対的な製品位置を計算するために、受信したデータセットをマッチングおよび分析する。最後に、切断ユニット３３によって、それらの製品１２を、前に決定されて個々の製品１２に割り当てられた切断経路に沿って切断し、このとき、切断ユニット３３は、制御ユニット３４により制御される。受信したデータセットをさらに用いて、製品１２を１つのコンベア１１から他のコンベア３１に移行させる間の製品１２の変位、動き、ひずみなどに起因して生じる可能性のある変換を実行する。
【００７０】
前述のように、識別のため、および収集された情報のマッチングおよび分析のための、いくつかの選択肢がある。製品の識別およびマッチングは、例えば、装置１０の光学カメラ１７、２０の１つによる画像と、処理ステーション３０の光学カメラ３２による画像のみに基づいて行うことができる。製品１２を識別するとともに、第２のコンベア３１上での製品の姿勢／位置を、必要に応じて変換した後に把握したら、Ｘ線ユニット１３によるデータセットおよび装置１０の光学カメラ１７の１つによるデータセットから生成された切断経路を、処理ステーション３０の光学カメラ３２による画像に統合する／組み込むことができる。装置１０の光学カメラ１７、２０の１つによる画像を、処理ステーション３０の光学カメラ３２による画像と比較／マッチングする前に、Ｘ線ユニット１３によるデータセットおよび装置１０の光学カメラ１７、２０の１つによるデータセットから生成された切断経路を、装置１０の他方の光学カメラ１７、２０による画像に統合する／組み込むことができる。
【００７１】
それらの製品１２の識別、およびそれらのデータセットのマッチングおよび分析は、光学カメラ１７および／または２０および３２で生成されたデータセットに基づいて、すなわち好ましくは第２のデータセットと第４のデータセットに基づいて行われる。この場合、受信したデータセットは、切断ユニット３３の制御のために、処理ステーション３０のコンベア３１上にあって識別された個々の製品１２に関して、その製品１２から除去すべき部分の位置および／または製品１２のポーショニングのための切断線を示すためにも用いられる。
【００７２】
つまり、本発明によれば、光学画像が、マッチングのために、装置１０から制御ユニット３４に送信されて、装置１０のこの光学画像は、処理ステーション３０の光学画像とマッチングされる。これは、第１のコンベア１１上の製品１２から取得されたすべての画像データ（Ｘ線画像および光学画像）の処理後に、そのデータをマッチングプロセスのために制御ユニット３４（ＣＰＵ）に送信することを意味する。好ましくは、それぞれの製品１２に固有のこれらの画像データは、リストに格納される。第２のコンベア３１上の各々の製品１２を光学カメラ３２で取得した後に、光学カメラ３２による光学画像を、リストからの画像データと比較する。最もマッチする画像（群）をリストから選択する。光学カメラ３２による光学画像とリストからの画像／画像データとのマッチングに成功したら、その後、その画像／それらの画像データをリストから削除する。すなわち、製品１２を識別するために、下流コンベア３１に割り付けられた光学カメラ３２で取得されたすべての光学画像をそれぞれ、第１のコンベア１１に割り付けられた光学カメラ１７および／または２０により取得されて制御ユニット３４の（リストとも呼ばれる）メモリ４４に格納されている光学画像と比較し、そして最もマッチする画像を選択する。識別に成功し、さらに必要に応じてマッチングおよび分析を行った後に、当該の光学画像をメモリから削除する。
【００７３】
（マッチする適切な）画像／（マッチする適切な）画像データがリストもしくはメモリ４４に存在しない場合、またはメモリ４４からの画像／画像データがいずれも十分なマッチング結果を達成しない場合には、その処理において、その製品１２をスキップして、例えば手動処理に移すことができる。任意選択的に、妥当な時間よりも長くメモリ４４内に留まっている画像／画像データを、メモリ４４から自動的に削除することができる。
【００７４】
好ましくは、第３のデータセットとしての光学転送画像がマッチングおよび分析のために制御ユニット３４に転送されるように、Ｘ線ユニット１３で生成された切断経路を含む第１のデータセットを、第２のデータセットに、すなわち第１のコンベア１１に割り付けられた光学カメラ１７または２０で生成された光学画像に、統合し／組み込み、この場合、それらの製品１２の識別、およびそれらのデータセットのマッチングおよび分析は、第３のデータセットと第４のデータセットに基づいて行われる。これは、光学カメラ１７または２０による画像データが（Ｘ線ユニット１３で取得したデータと共に）、制御ユニット３４に送信されることを意味する。さらに、制御ユニット３４は、光学カメラ３２による画像データを受信して、切断ユニット３３の制御のために、製品１２に割り当てた後にすべての画像データを処理する。任意選択的に、Ｘ線ユニット１３によるデータ、光学カメラ１７または２０による画像データ、および光学カメラ３２による画像データを、個別に、制御ユニット３４に送信することができる。この場合、Ｘ線ユニット１３のデータを、処理ステーション３０の光学カメラ３２による画像データに重ね合わせることができる。その後、その製品１２が同一のものであることを保証するために、装置１０の光学カメラ１７または２０による画像データを、処理ステーション３０の光学カメラ３２による画像データと比較することができる。このとき、必要に応じて、例えば、装置１０のカメラ１７または２０の光学画像から処理ステーション３０のカメラ３２の光学画像へのＸ−Ｙ平行移動変換、回転変換、Ｘ−Ｙ剪断変換、Ｘ−Ｙ変位変換などによる、Ｘ線ユニット１３のデータおよび／または装置１０の光学カメラ１７、２０のデータの変換を行うことができる。これらのステップの順序は様々であり得る。
【００７５】
マッチング自体は、例えば、以下で説明するようにして行うことができる。光学カメラ１７または２０および３２の光学画像において特徴点を探索して、それらを相対位置に基づいて、相対位置／近接度が最適に複製されるように相互に割り当てる。この場合、装置１０の光学カメラ１７または２０による光学画像上の矩形格子を、処理ステーション３０の光学カメラ３２による光学画像上のスプライン格子にマッピングする変換関数を決定する。この変換関数によって、処理ステーション３０の光学カメラ３２による光学画像の座標系における一意の点が、装置１０の光学カメラ１７または２０による光学画像の座標系における各点にマッピングされる。そのマッチング結果は、光学カメラ１７または２０および３２の画像データにおける製品１２の画像データ全体の類似度によって決定され、このとき、その変換関数を用いて、それらの点は相互に割り当てられる。この場合の類似度は、当該の撮像法に関して偏差が最小限であるという意味で理解されるべきである。
【００７６】
好ましくは、Ｘ線ユニット１３および／または他の光学カメラ１７、２０で生成された不適切な部分の位置を、ベクトルデータ、画素データなどとして、第１のコンベア１１に割り付けられた光学カメラ１７、２０による光学画像に統合し／組み込み、この場合、第１のコンベア１１に割り付けられた光学カメラ１７、２０による光学画像と、第２のコンベア３１に割り付けられた光学カメラ３２による光学画像に基づいて、マッチングおよび分析を行う。このように、光学画像は、（例えば、製品の外側輪郭によって）識別することに加えて、切断経路を生成するためにも使用することができる。
【００７７】
記載した方法は、上記のようなシステム２９を用いて実施することが特に好ましい。
【図１】
2019526061.tif 000003
【図２】
2019526061.tif 000004
【図３】
2019526061.tif 000005
【図４】
2019526061.tif 000006
【図５】
2019526061.tif 000007
【国際調査報告】
2019526061.tif 000008
2019526061.tif 000009
2019526061.tif 000010
2019526061.tif 000011
2019526061.tif 000012
2019526061.tif 000013